(57)【要約】      （修正有）【課題】飾り付けが容易で、飾り付けを短時間に行うことができる装飾スタンドを提供する。【解決手段】装飾スタンドＳは、垂直方向に立設する第１の柱体１と、垂直方向に立設する第２の柱体２と、この第２の柱体２と第１の柱体１とに接続された接続体３を備えた装飾スタンドであって、第１の柱体又は第２の柱体又は接続体３に凹部、又は、孔部が設けられ、凹部、又は、孔部に飾り支持体を圧入し、この飾り支持体に飾り７１、７２、７３’が突き刺さっているものである。【選択図】図１
2020100915.tif 000002
【特許請求の範囲】
【請求項１】
垂直方向に立設する第１の柱体と、垂直方向に立設する第２の柱体と、この第２の柱体と前記第１の柱体とに接続された接続体を備えた装飾スタンドであって、
前記第１の柱体又は前記第２の柱体又は前記接続体に凹部、又は、孔部が設けられ、
前記凹部、又は、孔部に飾り支持体を圧入し、
この飾り支持体に飾りが突き刺さっている
ことを特徴とする装飾スタンド。
【請求項２】
飾り支持体は、ケース内に収納され、前記ケースが凹部、又は、孔部に圧入されている
ことを特徴とする請求項１記載の装飾スタンド。
【請求項３】
飾り支持体は、網状部材で被覆されている
ことを特徴とする請求項１記載の装飾スタンド。
【請求項４】
接続体の正面、頂面及び下面に凹部、又は、孔部が設けられている
ことを特徴とする請求項２記載の装飾スタンド。
【請求項５】
垂直方向に立設する第１の柱体と、垂直方向に立設する第２の柱体と、この第２の柱体と前記第１の柱体とに着脱自在に接続された接続体を備えた装飾スタンドであって、
正面視、前記第１の柱体、前記第２の柱及び前記接続体に孔部がなく、
正面視、前記第１の柱体又は、前記第２の柱又は、前記接続体の背面側には、飾り支持体が圧入される凹部がない
ことを特徴とする請求項１記載の装飾スタンド。
【請求項６】
垂直方向に立設する第１の柱体を備えた装飾スタンドであって、
前記第１の柱体に凹部、又は、孔部が設けられ、
前記凹部、又は、前記孔部に飾り支持体を圧入し、
この飾り支持体に生花又は、造花又は、ドライフラワー又は、プリザーブドフラワーが突き刺さっている
ことを特徴とする装飾スタンド。
【請求項７】
第１の柱体の上方と第２の柱体の上方とに接続された接続体と、
前記第１の柱体の下方と第２の柱体の下方とに接続された下方接続体とを備えている
ことを特徴とする請求項１記載の装飾スタンド。
【発明の詳細な説明】
【技術分野】
【０００１】
本発明は、装飾スタンドに係り、特に、飾り付けが容易で、飾り付けを短時間に行うことができる装飾スタンドに関する。
【背景技術】
【０００２】
従来、造花の取付部を結束して取り付けたフラワーアーチがある（例えば、特許文献  第６図参照）。
【先行技術文献】
【特許文献】
【０００３】
【特許文献１】実開昭４８−４３８８５号公報
【発明の概要】
【発明が解決しようとする課題】
【０００４】
造花をフラワーアーチに取り付けるには、個々の造花ごとに、一々結束しなければならず、造花の取り付け、取り外しが面倒であると共に、時間がかかるという問題点があった。
特に、フラワーアーチをウェディングの飾りつけに使用する場合にあっては、披露宴の関係上、短時間に行わなければならない要請がある。
【０００５】
本発明は、上記問題点を考慮してなされた装飾スタンドを提供することを目的とする。
【課題を解決するための手段】
【０００６】
請求項１記載の装飾スタンドは、垂直方向に立設する第１の柱体と、垂直方向に立設する第２の柱体と、この第２の柱体と前記第１の柱体とに接続された接続体を備えた装飾スタンドであって、前記第１の柱体又は前記第２の柱体又は前記接続体に凹部、又は、孔部が設けられ、前記凹部、又は、孔部に飾り支持体を圧入し、この飾り支持体に飾りが突き刺さっているものである。
【０００７】
また、請求項２記載の装飾スタンドは、請求項１記載の装飾スタンドにおいて、飾り支持体は、ケース内に収納され、前記ケースが凹部、又は、孔部に圧入されているものである。
【０００８】
また、請求項３記載の装飾スタンドは、請求項１記載の装飾スタンドにおいて、飾り支持体は、網状部材で被覆されているものである。
【０００９】
また、請求項４記載の装飾スタンドは、請求項２記載の装飾スタンドにおいて、接続体の正面、頂面及び下面に凹部、又は、孔部が設けられているものである。
【００１０】
また、請求項５記載の装飾スタンドは、請求項１記載の装飾スタンドにおいて、垂直方向に立設する第１の柱体と、垂直方向に立設する第２の柱体と、この第２の柱体と前記第１の柱体とに着脱自在に接続された接続体を備えた装飾スタンドであって、正面視、前記第１の柱体、前記第２の柱及び前記接続体に孔部がなく、正面視、前記第１の柱体又は、前記第２の柱又は、前記接続体の背面側には、飾り支持体が圧入される凹部がないものである。
【００１１】
また、請求項６記載の装飾スタンドは、垂直方向に立設する第１の柱体を備えた装飾スタンドであって、前記第１の柱体に凹部、又は、孔部が設けられ、前記凹部、又は、前記孔部に飾り支持体を圧入し、この飾り支持体に生花又は、造花又は、ドライフラワー又は、プリザーブドフラワーが突き刺さっているものである。
【００１２】
また、請求項７記載の装飾スタンドは、請求項１記載の装飾スタンドにおいて、第１の柱体の上方と第２の柱体の上方とに接続された接続体と、前記第１の柱体の下方と第２の柱体の下方とに接続された下方接続体とを備えているものである。
【発明の効果】
【００１３】
請求項１記載の装飾スタンドによれば、第１の柱体又は第２の柱体又は接続体に凹部、又は、孔部が設けられ、前記凹部、又は、前記孔部に飾り支持体を圧入し、この飾り支持体に飾りが突き刺さっているため、飾りの装飾スタンドへの取り付け、取り外しが容易で、飾りを短時間に行うことができる。なお、飾り付けは、凹部、又は、孔部に飾り支持体を圧入する際、予め、飾り支持体に飾り付けても良いし、凹部、又は、孔部に飾り支持体を圧入した後、飾り支持体に飾り付けても良い。
【００１４】
また、請求項２記載の装飾スタンドによれば、上述した請求項１記載の発明の効果に加え、 飾り支持体は、ケース内に収納されているため、飾り支持体の水をケース内に保持でき、また、ケースが凹部、又は、孔部に圧入されているため、取り付け、取り外しに伴う、飾り支持体がケースにより保護され、飾り支持体の損傷を防ぐと共に、飾り支持体を収納したケースの凹部（又は、孔部）への取り付け、取り外しが容易となる。
【００１５】
また、請求項３記載の装飾スタンドによれば、上述した請求項１記載の発明の効果に加え、飾り支持体は、網状部材で被覆されているため、凹部（又は、孔部）への取り付け、取り外しに伴う、飾り支持体の損傷を防ぐと共に、飾り支持体を被覆した網状部材の凹部、又は、孔部への取り付け、取り外しが容易である。
【００１６】
また、請求項４記載の装飾スタンドによれば、上述した請求項１記載の発明の効果に加え、接続体の正面、頂面及び下面に凹部、又は、孔部が設けられているため、接続体の
正面、頂面及び下面を利用して、取捨選択して、飾りつけの自由度を増して、飾りつけを効果的に行うことができる。
【００１７】
また、請求項５記載の装飾スタンドによれば、上述した請求項１記載の発明の効果に加え、第１の柱体、第２の柱、接続体の孔部又は凹部を使用しない場合、背面側を正面側に位置を変えることにより、正面側から孔部又は凹部が見えないようにして、見映えが損なわれないようにすることができる。
【００１８】
また、請求項６記載の装飾スタンドによれば、第１の柱体に凹部、又は、孔部が設けられ、前記凹部、又は、前記孔部に飾り支持体を圧入し、この飾り支持体に飾り（生花又は、造花又は、ドライフラワー又は、プリザーブドフラワー）が突き刺さっているため、飾り（生花又は、造花又は、ドライフラワー又は、プリザーブドフラワー）の装飾スタンドへの取り付け、取り外しが容易で、飾りを短時間に行うことができる。なお、飾り付けは、凹部、又は、孔部に飾り支持体を圧入する際、予め、飾り支持体に飾り付けても良いし、凹部、又は、孔部に飾り支持体を圧入した後、飾り支持体に飾り付けても良い。
【図面の簡単な説明】
【００１９】
【図１】図１は、本願発明の一実施例の装飾スタンドの概略的正面図である。
【図２】図２は、図１の装飾スタンドから飾りを取り除いて示す概略的正面図である。
【図３】図３は、図２の概略的平面図である。
【図４】図４は、図２の概略的右側面図である。
【図５】図５は、図２を分解して示す概略的分解正面図である。
【図６】図６は、図２の第１の柱体と接続体との接続状態を示す概略的一部分解正面図である。
【図７】図７は、図２の第１の柱体の立設状態を示す概略的一部分解正面図である。
【発明を実施するための形態】
【００２０】
本発明の一実施例の装飾スタンドを図面（図１乃至図７）を参照して説明する。
図１に示すＳは装飾スタンドで、装飾スタンドＳは、垂直方向に立設する第１の柱体１と、垂直方向に立設する第２の柱体２と、この第２の柱体２と第１の柱体１とに接続された接続体３（接続体３は、例えば、木製の角柱）を備えている。
接続体３と第２の柱体２とは、図６に示すように、一種のほぞ継ぎで、第２の柱体２に設けた被係止部２Ｋにはめこむために接続体３に設けた係止部３Ｋにより行っている。    接続体３と第１の柱体２の接続も、接続体３と第２の柱体２の接続と同様、第１の柱体１に設けた被係止部（図示せず）にはめこむために接続体３に設けた係止部（図示せず）により行っている。
【００２１】
第１の柱体１は、例えば、木製の角柱で、第１の柱体１の下部は、第１の平板４に立設した第１の角筒４１内に挿入され、第１の柱体１の下部は、第１のボルト４２、第１のナット４３で固定されている（図１及び図５参照）。
また、第２の柱体２は、第１の柱体１と同様に、例えば、木製の角柱で、第２の柱体２の下部は、第２の平板５に立設した第２の角筒５１内に挿入され、第２の柱体２の下部は、第２のボルト５２、第１のナット５３で固定されている（図１、図５及び図７参照）。
【００２２】
第１の柱体１又は第２の柱体２又は接続体３には、図５に示すように、凹部１１、２１、３１、３１’（本実施例では、凹部が示されているが、凹部の代わりに図示しないが、孔部でも良い。）が設けられている。
具体的には、正面視、第１の柱体１の正面に凹部１１が、第２の柱体２の正面に凹部２１が、接続体３の正面、頂面及び下面に凹部３１、３１’（下面の凹部は図示していない）が設けられている。
凹部１１、２１、３１、３１’（又は、孔部）に飾り支持体６１、６２、６３、６３’が圧入される。また、飾り支持体６１、６２、６３、６３’には、飾り７１、７２、７３、７３’（飾りは、生花又は、造花又は、ドライフラワー又は、プリザーブドフラワー）が突き刺さって、飾りつけが行われる。そのため、飾り７１、７２、７３、７３’の装飾スタンドへの取り付け、取り外しが容易で、飾り付けを短時間に行うことができる。
なお、飾り付けは、凹部１１、２１、３１、３１’（又は、孔部）に飾り支持体６１、６２、６３、６３’を圧入する際、予め、飾り支持体６１、６２、６３、６３’に飾り付けても良いし、凹部１１、２１、３１、３１’（又は、孔部）に飾り支持体６１、６２、６３、６３’を圧入した後、飾り支持体６１、６２、６３、６３’に飾り付けても良い。
また、接続体３の正面、頂面及び下面（下面の凹部は図示していない）に凹部３１、３１’（又は、孔部）が設けられているため、接続体３の正面、頂面及び下面を利用して、取捨選択して、飾りつけの自由度を増して、飾りつけを効果的に行うことができる。
また、正面視、第１の柱体１の背面、第２の柱体２の背面、接続体３の背面には、凹部及び孔部は設けらていない。
【００２３】
飾り支持体６１、６２、６３、６３’は、例えば、フローラルフォーム（Floral-foam）［フェノール樹脂を原料とする生花用吸水スポンジ（飾りが、生花の場合、飾り支持体は、吸水性のある飾り支持体が望ましいが、造花、プリザーブドフラワーの場合、飾り支持体は吸水性のない飾り支持体（例えば、吸水性のない発泡体）が良い。］で、凹部１１、２１、３１、３１’（又は、孔部）に、直接圧入しても良いが、飾り支持体６１、６２、６３、６３’をケース８１、８２、８３、８３’に収納し、この「飾り支持体６１、６２、６３、６３’を収納したケース８１、８２、８３、８３’」を凹部１１、２１、３１、３１’（又は、孔部）に圧入するようにしても良い。
即ち、飾り支持体６１、６２、６３、６３’の水をケース８１、８２、８３、８３’内に保持でき、また、ケース８１、８２、８３、８３’が凹部１１、２１、３１、３１’（又は、孔部）に圧入されているため、取り付け、取り外しに伴う、飾り支持体６１、６２、６３、６３’がケース８１、８２、８３、８３’により保護され、飾り支持体６１、６２、６３、６３’の損傷を防ぐと共に、飾り支持体６１、６２、６３、６３’を収納したケース８１、８２、８３、８３’の凹部１１、２１、３１、３１’（又は、孔部）への取り付け、取り外しが容易となる。
また、ケース８１、８２、８３、８３’の代わりに、飾り支持体６１、６２、６３、６３’は、網状部材（図示せず）で被覆されるようにしても良い。この場合においても、凹部１１、２１、３１、３１’（又は、孔部）への取り付け、取り外しに伴う、飾り支持体６１、６２、６３、６３’の損傷を防ぐと共に、飾り支持体６１、６２、６３、６３’を被覆した網状部材（図示せず）の凹部、又は、孔部への取り付け、取り外しが容易である。
【００２４】
上述した実施例の装飾スタンドＳは、正面視、第１の柱体１、第２の柱２及び接続体３に孔部がなく、正面視、第１の柱体１、又は、第２の柱２、又は、接続体３の背面側には、飾り支持体６１、６２、６３、６３’が圧入される凹部１１、２１、３１、３１’（又は、孔部）がないものとしても良い。
これは、正面視、使用しない凹部が見えないようにして、見映えが損なわれないようにすることができる。
【００２５】
上述した実施例の装飾スタンドＳによれば、垂直方向に立設する第１の柱体１と、垂直方向に立設する第２の柱体２と、この第２の柱体２と第１の柱体１とに接続された接続体３を備えたものであるが、柱体は単一で、接続体３を省略した装飾スタンドＳでも良い。
即ち、垂直方向に立設する第１の柱体１を備えた装飾スタンドＳであって、第１の柱体１に凹部１１（又は、孔部）が設けられ、凹部１１（又は、孔部）に飾り支持体６１を圧入し、この飾り支持体６１に飾り（生花又は、造花又は、ドライフラワー又は、プリザーブドフラワー）７１が突き刺さっているものでも良い。
この装飾スタンドＳによれば第１の柱体１に凹部１１（又は、孔部）が設けられ、凹部１１（又は、孔部）に飾り支持体６１を圧入し、この飾り支持体６１に飾り７１（生花又は、造花又は、ドライフラワー又は、プリザーブドフラワー）が突き刺さっているため、飾り７１（生花又は、造花又は、ドライフラワー又は、プリザーブドフラワー）の装飾スタンドへの取り付け、取り外しが容易で、飾りを短時間に行うことができる。なお、飾り付けは、凹部１１（又は、孔部）に飾り支持体６１を圧入する際、予め、飾り支持体６１に飾り付けても良いし、凹部１１（又は、孔部）に飾り支持体６１を圧入した後、飾り支持体６１に飾り付けても良い。
【００２６】
上述した実施例の装飾スタンドＳは、正面視、第１の柱体１と第２の柱２を直線状の接続体３で接続した略門形状としたが、本願発明にあっては、これに限らず、図示しないが、接続体３をアーチ形状としたものでも良い。
【００２７】
また、上述した実施例の装飾スタンドＳは、正面視、第１の柱体１の上方と第２の柱２の上方を直線状の接続体３で接続した略門形状としたが、本願発明にあっては、これに限らず、図示しないが、第１の柱体１の下方と第２の柱２の下方を直線状の下方接続体（図示せず）で接続した額縁状としたものでも良い。
【符号の説明】
【００２８】
Ｓ        装飾スタンド
１        第１の柱体
２        第２の柱体
３        接続体
４        飾り支持体
５        飾り
１１      凹部
１２      凹部
１３      凹部
１３’    凹部
６１      飾り支持体
６２      飾り支持体
６３      飾り支持体
６３’    飾り支持体
７１      飾り
７２      飾り
７３      飾り
７３’    飾り
【図１】
2020100915.tif 000003
【図２】
2020100915.tif 000004
【図３】
2020100915.tif 000005
【図４】
2020100915.tif 000006
【図５】
2020100915.tif 000007
【図６】
2020100915.tif 000008
【図７】
2020100915.tif 000009